【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
酸素含有炭化水素、脂肪族炭化水素、芳香族炭化水素、環式炭化水素および無機化合物を含有するフィッシャートロプシュ反応水から精製水を製造する方法であって、前記精製水は、ＣＯＤが２０〜５００ｍｇ／ｌの間であり、ｐＨが６．０〜９．０の間であり、懸濁固形分が２５０ｍｇ／ｌ未満であり、全溶解固形分が６００ｍｇ／ｌ未満である水溶性の流れであり、前記方法が、
ａ）前記フィッシャートロプシュ反応水から非酸性酸素含有炭化水素の少なくとも一部を除去して第１の水に富む流れを生成するための蒸留を含む第１の処理段階のステップと、
ｂ）前記第１の水に富む流れの少なくとも一部分から有機酸の少なくとも一部を除去して第２の水に富む流れを生成するための液液抽出を含む第２の処理段階のステップと、
ｃ）前記第２の水に富む流れの少なくとも一部分から酸性酸素含有炭化水素の少なくとも一部を除去して第３の水に富む流れを生成するための生物学的処理を含む第３の処理段階のステップと、
ｄ）前記第３の水に富む流れの少なくとも一部分から少なくとも一部の固形分を除去するための固液分離を含む第４の処理段階のステップと
を少なくとも含む方法。
【請求項２】
前記非酸性酸素含有炭化水素が、アルコール、アルデヒド、およびケトンを含む群から選択される請求項１に記載の方法。
【請求項３】
前記酸性酸素含有炭化水素が、ギ酸、酢酸、プロピオン酸、酪酸、吉草酸、ヘキサン酸、ヘプタン酸、およびオクタン酸を含む群から選択される請求項１または２に記載の方法。
【請求項４】
前記第１の処理段階が、非常に低い沸点の化合物および溶解したガスを前記フィッシャートロプシュ反応水から除去するための前記第１の処理段階中のさらなる処理の前に、前記フィッシャートロプシュ反応水の脱気を含む請求項１〜３のいずれか１項に記載の方法。
【請求項５】
前記第２の処理段階中に使用される前記液液抽出法が、微分接触式および多段接触式のいずれかまたは両方である請求項１〜４のいずれか１項に記載の方法。
【請求項６】
前記微分接触法が、スプレー塔、充填塔、回転ディスクコンタクター、およびダラバルコンタクター、またはその均等物を含む群より選択される装置の使用を含むとともに、前記多段接触法が、ミキサーセトラー、多孔板塔、および制御循環塔を含む群より選択される装置の使用を含む請求項５に記載の方法。
【請求項７】
前記ステップｂ）中に使用される溶媒が、酸に対して親和性がある水不溶性溶媒の群より選択され、前記群がエーテル、アセテート、アミド、およびホスフィンオキシドを含む請求項１〜６のいずれか１項に記載の方法。
【請求項８】
前記生物学的処理が嫌気性処理および好気性処理の一方または両方を含む請求項１〜７のいずれか１項に記載の方法。
【請求項９】
前記好気性処理方法が、活性汚泥法、生物学的好気性濾床、散水濾床、回転型生物学的コンタクター、高速小型反応器、膜バイオリアクター、および流動床反応器を含む群より選択される請求項８に記載の方法。
【請求項１０】
前記嫌気性処理方法が、上向流嫌気性汚泥ブランケット（ＵＡＳＢ）法、固定床システム、流動層反応器、撹拌槽反応器、膜バイオリアクター、およびバッフル付き反応器を含む群より選択される請求項８に記載の方法。
【請求項１１】
前記第４の処理段階によって、生物学的処理中に生成した第３の水に富む流れから懸濁固形分が除去される請求項１〜１０のいずれか１項に記載の方法。
【請求項１２】
酸素含有炭化水素、脂肪族炭化水素、芳香族炭化水素、環式炭化水素および無機化合物を含有するフィッシャートロプシュ反応水から高精製水を製造する方法であって、前記高精製水は、ＣＯＤが５０ｍｇ／ｌ未満であり、ｐＨが６．０〜９．０の間であり、懸濁固形分が５０ｍｇ／ｌ未満であり、全溶解固形分が１００ｍｇ／ｌ未満である水溶性の流れであり、前記方法が、
ａ）前記フィッシャートロプシュ反応水から非酸性酸素含有炭化水素の少なくとも一部を除去して第１の水に富む流れを生成するための蒸留を含む第１の処理段階のステップと、
ｂ）前記第１の水に富む流れの少なくとも一部分から酸性酸素含有炭化水素の少なくとも一部を除去して第２の水に富む流れを生成するための液液抽出を含む第２の処理段階のステップと、
ｃ）前記第２の水に富む流れの少なくとも一部分から酸性酸素含有炭化水素の少なくとも一部を除去して第３の処理された水に富む流れを生成するための生物学的処理を含む第３の処理段階のステップと、
ｄ）前記第３の水に富む流れの少なくとも一部分から少なくとも一部の溶解塩および有機成分を除去するための、溶解塩および有機物除去段階を含む最終処理段階のステップと
を少なくとも含む方法。
【請求項１３】
前記第３の水に富む流れの少なくとも一部分から少なくとも一部の固形分を除去して、後に最終処理が行われる第４の水に富む流れを生成するための固液分離を含む第４の処理段階を含む請求項１２に記載の方法。
【請求項１４】
前記非酸性酸素含有炭化水素が、アルコール、アルデヒド、およびケトンを含む群から選択される請求項１２または１３に記載の方法。
【請求項１５】
前記酸性酸素含有炭化水素が、ギ酸、酢酸、プロピオン酸、酪酸、吉草酸、ヘキサン酸、ヘプタン酸、およびオクタン酸を含む群から選択される請求項１２〜１４のいずれか１項に記載の方法。
【請求項１６】
前記第１の処理段階が、非常に低い沸点の化合物および溶解したガスを前記フィッシャートロプシュ反応水から除去するための前記第１の処理段階中のさらなる処理の前に、前記フィッシャートロプシュ反応水の脱気を含む請求項１２〜１５のいずれか１項に記載の方法。
【請求項１７】
前記第２の処理段階中に使用される前記液液抽出法が、微分接触式および多段接触式のいずれかまたは両方である請求項１２〜１６のいずれか１項に記載の方法。
【請求項１８】
前記微分接触法が、スプレー塔、充填塔、回転ディスクコンタクター、およびダラバルコンタクター、または同等物を含む群より選択される装置の使用を含むとともに、前記多段接触法が、ミキサーセトラー、多孔板塔、および制御循環塔を含む群より選択される装置の使用を含む請求項１７に記載の方法。
【請求項１９】
前記ステップｂ）中に使用される溶媒が、酸に対して親和性がある水不溶性溶媒の群より選択され、前記群がエーテル、アセテート、アミド、およびホスフィンオキシドを含む請求項１２〜１８のいずれか１項に記載の方法。
【請求項２０】
前記生物学的処理が嫌気性処理および好気性処理の一方または両方を含む請求項１２〜１９のいずれか１項に記載の方法。
【請求項２１】
前記好気性処理方法が、活性汚泥法、生物学的好気性濾床、散水濾床、回転型生物学的コンタクター、高速小型反応器、膜バイオリアクター、および流動床反応器を含む群より選択される請求項２０に記載の方法。
【請求項２２】
前記嫌気性処理方法が、上向流嫌気性汚泥ブランケット（ＵＡＳＢ）法、固定層システム、流動床反応器、撹拌槽反応器、膜バイオリアクター、およびバッフル付き反応器を含む群より選択される請求項２０に記載の方法。
【請求項２３】
前記第４の処理段階が含まれる場合、生物学的処理中に生成した前記第３の水に富む流れから懸濁固形分が除去される請求項１２〜２２のいずれか１項に記載の方法。
【請求項２４】
化学的酸化と、紫外光によって生成するフリーラジカルと、活性炭処理および有機物捕捉樹脂の使用の一方または両方を含む吸着および／または吸収方法とを含む群より選択される１つ以上の方法によって、前記最終処理段階において残留有機化学種が除去される請求項１２〜２３のいずれか１項に記載の方法。
【請求項２５】
第２の処理および／または他のプロセス流出物の同時処理によって得られる溶解塩が、イオン交換、逆浸透、ナノ濾過、および化学沈殿方法を含む群から選択される１つ以上の方法によって、前記最終処理段階において減少する請求項１２〜２４のいずれか１項に記載の方法。